(57)【要約】照明システム１００が開示される。照明システム１００は、指向性の所定の一様性を有するライトフィールド１０３を発する発光モジュール１０１と、発光モジュール１０１により発されるライトフィールド１０３の一部を受け取ると共に、受け取られたライトフィールド１０３に基づいて変更されたライトフィールド１０４を出力するように構成される光学要素１０２とを有する。光学要素１０２から出力されたライトフィールド１０４が、発光モジュール１０１により発されたライトフィールド１０３に対して指向性の変化された一様性を有するように、光学要素１０２は、発光モジュール１０１に対して別個に配されると共に、光学要素１０２に入力されたライトフィールド１０３を変更するように構成される。照明システム１００に含まれるのに適している光学要素１０２も、開示される。
2015515090.tif 000002
【特許請求の範囲】
【請求項１】
指向性の所定の一様性を有するライトフィールドを発する発光モジュールと、
前記発光モジュールにより発される前記ライトフィールドの一部を受け取るように配されていると共に、受け取られた前記ライトフィールドに基づいて変更されたライトフィールドを出力するように構成される光学要素と、
を有する照明システムであって、
前記光学要素から出力される前記ライトフィールドが前記発光モジュールにより発される前記ライトフィールドに対して指向性の変化された一様性を有するように、前記光学要素は、前記発光モジュールに対して別個に配されると共に、前記光学要素に入力される前記ライトフィールドを変更するように構成されている、照明システム。
【請求項２】
前記光学要素によって受け取られる前記発光モジュールにより発される前記ライトフィールドの一部は、前記発光モジュールにより発される前記ライトフィールドの半分よりも小さい、請求項１に記載の照明システム。
【請求項３】
前記光学要素は、前記発光モジュールに対して移動可能であるように配される、請求項１又は２に記載の照明システム。
【請求項４】
前記光学要素は、前記光学要素に入力される前記ライトフィールドの変更の能力及び／又は性能に関して可変である、請求項１乃至３の何れか一項に記載の照明システム。
【請求項５】
前記発光モジュールは複数の光源を有しており、前記照明システムは、前記発光モジュールにより発される前記ライトフィールドをコリメートするのに適しているコリメート要素を更に有する、請求項１乃至４の何れか一項に記載の照明システム。
【請求項６】
前記発光モジュールは複数の光源を有しており、前記複数の光源の各光源は、前記光源により発される前記ライトフィールドをコリメートするのに適しているコリメート要素を有する、請求項１乃至４の何れか一項に記載の照明システム。
【請求項７】
前記発光モジュールは、前記ライトフィールドを有する光線の方向間の角度の差が４５°未満又は１０°未満であるように、指向性の一様性を有するライトフィールドを発するのに適している、請求項１乃至６の何れか一項に記載の照明システム。
【請求項８】
前記複数の光源は複数の発光ダイオード（ＬＥＤ）を有する、請求項５又は６に記載の照明システム。
【請求項９】
前記発光モジュールは１つ以上の有機発光ダイオード（ＯＬＥＤ）を有する、請求項１乃至８の何れか一項に記載の照明システム。
【請求項１０】
前記光学要素が少なくとも１つの屈折要素を有する、請求項１乃至９の何れか一項に記載の照明システム。
【請求項１１】
前記光学要素は、前記ライトフィールドの前記スペクトル出力分布が所定の態様において波長に関して減衰するように、前記光学要素に入力されるライトフィールドを変更するように構成した波長選択要素を有する、請求項１乃至１０の何れか一項に記載の照明システム。
【請求項１２】
前記光学要素は反射防止要素を有する、請求項１乃至１１の何れか一項に記載の照明システム。
【請求項１３】
前記発光モジュールにより発される前記ライトフィールドの一部を受け取るような場所に前記光学要素を着脱可能に取り付ける取付手段を更に有する、請求項１乃至１２の何れか一項に記載の照明システム。
【請求項１４】
前記光学要素を少なくとも部分的に囲むように前記光学要素に着脱自在に配置可能なエンベロープであって、前記エンベロープが前記光学要素に配される場合、光が前記光学要素に到達するのを妨げるように構成されている前記エンベロープを更に有する、請求項１乃至１３の何れか一項に記載の照明システム。
【請求項１５】
請求項１乃至１４の何れか一項に記載の照明システムに含まれるのに適している光学要素であって、前記照明システム内に含まれている前記発光モジュールにより発されたライトフィールドの一部を受け取ると共に、受け取られた前記ライトフィールドに基づいて変更されたライトフィールドを出力するように配置可能な光学要素。
【発明の詳細な説明】
【技術分野】
【０００１】
本発明は、一般には、照明の分野に関する。より詳細には、本発明は、指向性の所定の一様性を有するライトフィールド（light field）を供給する発光モジュールにより発されるライトフィールドの一部を変更することができる照明システムに関する。
【背景技術】
【０００２】
適切な（複数の）光源を使用している部屋のような場所におけるライトフィールドの光線の指向性に関して一様なライトフィールドを有する光を提供することが、可能である。このような光は、例えば、オフィス又は小売店の照明を含んでいる幾つかのアプリケーションにおいて役立ち得る。
【発明の概要】
【発明が解決しようとする課題】
【０００３】
しかしながら、このようなアプリケーションにおける幾つかの状況において、このようなライトフィールドは、あまりに一様に指向的であるために幾らかのタスクが都合良く及び／又は効率的に実施されることができないことがある。このことは、光源の変更によって又は付加的な光源を設けることにより軽減されることができる。
【０００４】
幾つかの場合において、一様に指向的なライトフィールドは、例えば、スポットライトにより発される光のビームのようなものに関して、比較的小さい断面を有することができる。このような場合、ライトフィールドは、散乱される又は拡散されるように望まれ、実際、発散するライトフィールドを生成する。
【０００５】
上述を考慮して、本発明の関心は、既知の照明システムと比較して異なる要件及び／又は異なるアプリケーションにおける動作に関して増大された適応性を有する照明システムを提供することにある。
【０００６】
本発明の更なる関心は、指向性の所定の一様性を有するライトフィールドを発する発光モジュールを有する照明システムであって、前記発光モジュールにより発されるライトフィールドが指向性において、あまりに一様であるために、特定のタスクが都合良く及び／又は効率的に実施されることができないという問題を軽減する又は取り除くことができる照明システムを提供することにある。
【課題を解決するための手段】
【０００７】
これらの関心及び他の関心のうちの少なくとも１つに対処するために、添付の独立請求項に記載の照明システムが提供される。好ましい実施例は、従属請求項により定義される。
【０００８】
本発明の第１の見地によれば、発光モジュール及び光学要素を有する照明システムが、提供される。発光モジュールは、指向性の所定の一様性を有するライトフィールドを発するのに適している。前記光学要素は、発光モジュールにより発されるライトフィールドの一部を受け取るように配されていると共に、受け取ったライトフィールドに基づいて変更されたライトフィールドを出力するように構成されている。前記光学要素は、発光モジュールに対して別個に配されていると共に、前記光学要素に入力されるライトフィールドを変更するように構成されており、この結果、前記光学要素から出力されるライトフィールドは、前記発光モジュールにより発されるライトフィールドに対して指向性の変化された一様性を有する。
【０００９】
前記光学要素から出力されるライトフィールドが、発光モジュールにより発されるライトフィールドに対して指向性の変化された一様性を有するように、前記発光モジュールに対して別個に配されていると共に前記光学要素に入力されるライトフィールドを変更するように構成されている前記光学要素によって、前記発光モジュールにより発されるライトフィールドは、例えば、所望の照射パターンを生じるように（例えば、スポットライト効果を生成するように）焦束される若しくは収束される及び／又は再指向されることができる。
【００１０】
従って、実質的に又は完全に一様な指向性を有するライトフィールドを提供する発光モジュールが使用される場合においてさえも、発光モジュールにより提供されるライトフィールドは、所望の照射パターンを生成するように（例えば、ユーザ及び／又はアプリケーションの要件を満たすように）前記光学要素によって、例えば、焦束される若しくは収束される及び／又は再指向されることができる。
【００１１】
前記発光モジュールに対して別個に配されている前記光学要素によって、場面又は位置の後続的な照明のために発光モジュールにより発されるライトフィールドの指向性の一様性を変化させるために発光モジュールにより発されるライトフィールドの一部の変更が、発光モジュール自体を変更する必要なしになされることができる。
【００１２】
以下において、一例による照明システムの動作の原理が記載される。
【００１３】
前記発光モジュールにより発されるライトフィールドの一部を受け取るように配されている前記光学要素によって、前記光学要素は、発光モジュールにより発されるライトフィールドの一部を妨害し得る。このことにより、陰になる領域又は面積が、照明システムにより照明される表面上に生成され得る。しかしながら、前記光学要素に入力されるライトフィールドを変更するように構成される前記光学要素によって、前記光学要素に入力されるライトフィールドの殆ど、一部又は全てさえも、例えば、陰になる領域の一部に焦束又は再指向されることができる。例えば、前記照明システムによって、前記光学要素が自身の「効果」を有する場合を除き、照明されるべき表面が一様に照明されることもあり、一例によれば、明るいスポットを囲んでいる暗い環が、照明される表面に生成され得る。従って、照明強度は、光学要素により照明される表面上に再分配され得る。このような効果は、例えば小売店の照明アプリケーションのスポットライトに有用であり得る。上述の例に関して、暗い環は、コントラストを増大させることによって、スポットを比較的明るく見えさせることができ、スポットライトをあてられた対象又は領域に多くの視覚的注意をもたらす。
【００１４】
前記光学要素は受動的な装置であっても良く、即ち給電されないものであっても良い。
【００１５】
一例によれば、前記光学要素は、前記発光モジュールと比較して大きさが大幅に小さい。
【００１６】
本出願の状況において、前記発光モジュールから別個に配置されている光学要素によって、前記光学要素が前記発光モジュールに機械的に結合されていないこと、即ち光学要素と前記発光モジュールとの間の空間的な分離が設けられることが意味されている。
【００１７】
当該照明システムは、２つ以上の光学要素を有し得る。
【００１８】
幾つかのアプリケーションにおいて、照明システムは、複数の光学要素を有し得て、各光学要素は、前記発光モジュールにより発されるライトフィールドの一部を受け取るように配され、受け取られたライトフィールドに基づいて変更されたライトフィールドを出力するように構成される。
【００１９】
前記光学要素によって、受け取られる前記発光モジュールにより発されるライトフィールドの一部は、例えば、前記発光モジュールにより発されるライトフィールドの約半分より小さくても良い。
【００２０】
前記光学要素によって受け取られる発光モジュールにより発されるライトフィールドの一部が、前記発光モジュールにより発されるライトフィールドよりも小さいことによって、前記光学要素によって受け取られる前記発光モジュールにより発されるライトフィールドの一部に含まれている光線の集合又は束の断面が、前記発光モジュールにより発される前記ライトフィールドに含まれる光線の集合又は束の断面より小さいことが意味され得る。例えば、前記光学要素によって、受け取られる前記発光モジュールにより発されるライトフィールドの一部は、前記発光モジュールにより発されるライトフィールドの断面の約半分よりも小さい断面を有することができる。
【００２１】
前記光学要素は、発光モジュールに対して移動可能であるように配されることができる。従って、前記光学要素から出力されるライトフィールドが、発光モジュール自体を変更する必要なしに、前記発光モジュール自身により発されるライトフィールドに対して指向性の変化された一様性を有するように、前記光学要素は、前記光学要素に入力されるライトフィールドを変更する必要に応じて位置決めされる又は再位置決めされることができる。前記光学要素は、前記光学要素に入力されたライトフィールドの変更の能力及び／又は性能に関して可変なものであり得る。例えば、前記光学要素は、前記光学要素により出力されるライトフィールドの異なる照射パターン（例えば、スポットライトのパターンを含んでいる）が達成されることができるように可変なものであり得る。
【００２２】
前記発光モジュールは、複数の光源を有し得る。
【００２３】
複数の光源は、例えば、複数の発光ダイオード（ＬＥＤ）を有し得る。複数の光源は、例えば、アレイ状に配される又はグリッドを形成するように配されることができる。
【００２４】
発光モジュール及び／又は複数の光源は、例えば、少なくとも１つの有機発光ダイオード（ＯＬＥＤ）を有することができる。
【００２５】
当該照明システムは、前記発光モジュールにより発されるライトフィールドをコリメートするコリメート要素を有し得る。このようなコリメート要素は、例えば、光学フィルム又は層を有することができる。
【００２６】
代替的に又は任意に、複数の光源の各光源は、光源により発されるライトフィールドをコリメートするコリメート要素を有し得る。
【００２７】
前記コリメート要素は、それぞれの光源によって又は光源によって発されるライトフィールドの指向性を拘束し得る。このような構成によって、前記光学要素の効果を変更するライトフィールドは、改善される又は増大されることができる。例えば、複数の光源の各光源からのライトフィールドのコリメートを増大させることによって、前記光学要素による集束は、より正確なものになり得る。極端な、理想的な例は、複数の光源が、複数の平行な又は実質的に平行な光線を生じる状況である。
【００２８】
複数の光源の各光源は、これを介してライトフィールドが光源から発される出力面を有し得る。
【００２９】
コリメート要素を出る光のビーム又は光線が、４５°未満又は１０°未満である前記出力面の法線に対する角度（例えば、８°である前記出力面の法線に対する角度）を呈するように、各光源のコリメート要素は、光源により発される光をコリメートにするように構成されることができる。
【００３０】
限られた程度のコリメートのみがコリメータにより実行されるのを可能にすることが望ましくあり得る。複数の光源が複数の平行な又は実質的に平行な光束を生じる、極端な、理想的な例は、光源に関連する、何らかの光学欠陥、空間変位のエラー、分散等を強調し得るからである。
【００３１】
モデリングは、コリメート要素を出る光のビームが約８°である出力面の法線に対する角度を呈するように、各光源のコリメート要素を前記光源により発される光をコリメートするように構成することが、前記光学要素の効果を変更するライトフィールドの改善又は増大に対して特に有益であり得ることを示している。
【００３２】
前記発光モジュールは、ライトフィールドを有する光束が、各々４５°未満又は１０°未満だけ他の光線の指向性の角度に対して異なる指向性の角度を有するように、ライトフィールドを発するように適応化されることができる。
【００３３】
即ち、ライトフィールドを有する光線の方向間の角度の違いが４５°未満又は１０°未満であるように、前記発光モジュールは、指向性の一様性を有するライトフィールドを発するのに適応化されることができる。
【００３４】
前記光学要素は、少なくとも１つの屈折要素を有することができる。少なくとも１つの屈折要素は、例えば、レンズ（例えば、両凸若しくは平凸レンズ、又はフレネルレンズ等）、プリズム又は他の直線的な物体（rectilinear object）を有し得る。
【００３５】
前記レンズは、例えば、ガラス製若しくはプラスチック製、又はプラスチック若しくはガラス及び／又はあまりに多くの光を吸収しないように十分な透過性を有すると共に空気の屈折率を超える屈折率を有する何らかの類似の光学材料からできた水を含む透明な容器からできているものであっても良く、又はこれらを有していても良い。このようなレンズは、複数の異なる形状を有することができ、例えば、レンズは、所望の焦点パターンに依存して、円形、楕円形又は円筒状等であり得る。円柱状レンズは、例えば、円形の丸いレンズが提供する円形のスポットよりもむしろ長方形の焦点パターンを提供するのに特に有用であり得る。
【００３６】
屈折プリズム又は他の直線的な対象物は、上述されたレンズと同じ又は類似の材料でできているものであり得る。
【００３７】
前記光学要素は、前記光学要素から出力されるライトフィールドが所定の強度及び／又は放射分布を有するように、前記光学要素に入力されるライトフィールドを変更するように構成されることができる。このために、前記光学要素は、例えば、前記光学要素から出力されるライトフィールドの所定のビーム形状並びに強度及び／又は発光分布をもたらすように構成されている屈折性の「自由な形状」を有する。
【００３８】
前記光学要素は、前記光学要素から出力されるライトフィールドが、前記ライトフィールドのスペクトル出力分布が所定の態様において波長に対して減衰するように、前記光学要素に入力されるライトフィールドを変更するように構成される波長選択要素を更に有し得る。例えば、このような波長選択要素は、赤外線の波長範囲内にある前記光学要素から光の出力を減少するように使用されることができる。
【００３９】
前記光学要素は、反射防止要素を有し得る。このような反射防止要素は、例えば、前記光学要素の表面に設けられる反射防止コーティングを有し得る。このような反射防止要素は、例えば、前記光学要素に対する望ましくない方向における、望ましくない反射の発生を低減する若しくは取り除く、並びに／又は鏡面反射の発生を低減する又は取り除くことができる。
【００４０】
代替的に又は任意に、前記光学要素は、反射表面部（例えば、反射コーティングで覆われている表面部）又は反射要素を有することができる。
【００４１】
照明システムは、発光モジュールにより発されるライトフィールドの一部を受け取るように或る場所又は位置に前記光学要素を着脱可能に取り付けるのに適している取付手段を有し得る。
【００４２】
例えば、このような取付手段は、光学要素を部屋の天井から懸架する手段、前記光学要素をオフィス内の机の作業空間の上方に取り付ける手段及び／又は光学要素を部屋の壁に取り付ける手段を有し得る。
【００４３】
他の例によれば、前記取付手段は、前記光学要素を発光モジュールの表面、ハウジング及び／又は構造に着脱可能に取り付けるのに適応化されることができる。
【００４４】
前記取付手段は、例えば、ばね付勢されたデスクランプのアームと同様に、前記光学要素を所望の位置に制御可能に位置決めする及び再位置決めすることができるバネ付勢装置（a spring-loading arrangement）を設けることによって、携帯性及び／又は再構成可能性機能を呈することができる。
【００４５】
前記照明システムは、少なくとも部分的に光学要素を囲むように前記光学要素に取り外し可能に配されることができるエンベロープを有することができる。
【００４６】
前記エンベロープが光学要素に配置される場合、前記エンベロープは光が前記光学要素に到達するのを妨げるように構成されることができる。前記エンベロープが前記光学要素に配置される場合、光は、エンベロープによって前記光学要素を出ることを妨げられ得る。
【００４７】
前記エンベロープは、例えば、前記光学要素の表面に設けられることができる不透明又は半透明のフィルム又は層を有することができる。このようなエンベロープは、例えば、光学要素及び／又は照明システムの取扱い、取付け及び／又は輸送の間の光学要素の望ましくない動作を防止するのに有益であり得る。
【００４８】
本発明の第２の見地によれば、本発明による照明システムに含まれるのに適している光学要素が、提供される。前記光学要素は、照明システムに含まれる発光モジュールにより発されるライトフィールドの一部を受け取ると共に、受け取られたライトフィールドに基づいて変更されたライトフィールドを出力するように配されることができる。
【００４９】
本出願の状況において、『ライトフィールド』によって、空間内の光線の集合及び／又は束が意味されており、前記光線の各々は出発点、方向、強度及びスペクトル出力分布を有する。
【００５０】
本出願の状況において、指向性の一様性によって、ライトフィールドの光線の集合における個々の光線の方向の類似性が意味されている。
【００５１】
例えば、指向性において均一であるライトフィールドによって、各々が所定の角度未満（例えば、４５度未満又は１０度未満）だけ他の光線の指向性の角度に対して異なる指向性の角度を有する光線に含まれているライトフィールドが意味されている。
【００５２】
指向性において均一であるライトフィールドの極端な例は、ライトフィールドの光線が互いに関して平行である又は実質的に平行であることである。
【００５３】
本発明の更なる目的及び有利な点は、実施例を例示することにより以下に記載される。
【００５４】
本発明は、添付請求項に列挙されているフィーチャの全てのあり得る組み合わせに関するものであることに留意されたい。本発明、並びに本発明の更なるフィーチャ及び有利な点は、添付請求項及び以下の記載を熟読する際に明らかになるであろう。当業者であれば、本発明の様々な特徴が、以下に記載されているもの以外の実施例をつくるために組み合わせられることが可能である。
【図面の簡単な説明】
【００５５】
【図１】本発明の一実施例による照明システムの模式的なブロック図である。
【図２】本発明の一実施例による照明システムに含まれる発光モジュールの模式的な側面図である。
【図３】本発明の一実施例による照明システムの模式的なブロック図である。
【図４】本発明の一実施例による照明システムの模式的なブロック図である。
【発明を実施するための形態】
【００５６】
本発明の例示的な実施例が、添付の図面を参照して以下に記載される。添付図面において、同一の符号は、図の全体にわたって同一又は類似の要素を意味する。本発明は、本発明の例示的な実施例が示されている添付の図面を参照して以下に十分に記載される。しかしながら、本発明は、多くの異なる形で実施されることができ、本願明細書に記載される実施例に限定されるように解釈されてはならず、むしろ、これらの実施例は、本開示が当業者に本発明の範囲を伝えるように例として提供されるものである。更に、類似の符号は、全体にわたって同一又は類似の要素又は構成要素を参照している。
【００５７】
図１を参照すると、本発明の実施例による照明システム１００の模式的なブロック図が示されている。照明システム１００は、発光モジュール１０１及び光学要素１０２を有する。
【００５８】
発光モジュール１０１は、指向性の所定の一様性を有するライトフィールド１０３を発するのに適している。光学要素１０２は、発光モジュール１０１により発されるライトフィールドの一部１０３を受け取るように配され、更に、受け取られたライトフィールド１０３に基づいて変更されたライトフィールド１０４を出力するように構成されている。
【００５９】
図１には、光学要素１０２によって受け取られる発光モジュール１０１により発されるライトフィールドの一部１０３のみが描かれており、発光モジュール１０１により発されるライトフィールド全体が描かれているわけではない。
【００６０】
図１における発光モジュールを表しているブロック１０１及び光学要素を表しているブロック１０２の大きさは、縮尺で描かれているものではない。光学要素１０２は、発光モジュール１０１よりも大幅に小さくても良い。
【００６１】
ライトフィールド１０３及びライトフィールド１０４は、それぞれ、矢印１０３及び１０４によって図１に模式的に示されているのみである。
【００６２】
光学要素１０２から出力されるライトフィールド１０４が、発光モジュール１０１により発されるライトフィールド１０３に対して指向性の変更された一様性を有するように、即ち光学要素１０２から出力されるライトフィールド１０４は、発光モジュール１０１により発されているライトフィールドの指向性の一様性と比較して指向性の変更された一様性を有するように、光学要素１０２は、発光モジュール１０１に対して別個に配されていると共に、光学要素１０２に入力されるライトフィールド１０３を変更するように構成されている。
【００６３】
図１に描かれている実施例によれば、光学要素１０２は、ライトフィールド１０３をより焦束させる又は収束させ、この結果として、ライトフィールド１０４をもたらすように適応化されている。
【００６４】
図１に描かれている実施例によれば、光学要素１０２は、ライトフィールド１０３のスペクトル出力分布が所定の態様おける波長に関して減衰されるように、光学要素１０２に入力されるライトフィールド１０３を変更するように構成される波長選択要素１０６及び屈折要素１０５を有する。例えば、波長選択要素１０６によって、ライトフィールド１０４を有する光線は、所定の波長範囲内にある波長を各々有することもできる。光学要素１０２は、反射防止要素１０７を有している。
【００６５】
屈折要素１０５、波長選択要素１０６及び反射防止要素１０７の各々は、任意である。光学要素１０２は、屈折要素１０５、波長選択要素１０６及び反射防止要素１０７の１つ以上を有し得る。
【００６６】
代替的に又は任意に、発光モジュール１０１は、少なくとも１つの有機発光ダイオード（ＯＬＥＤ）を有し得る。ＯＬＥＤは、これらが拡張された領域から光を発することができるので、特に有利である。
【００６７】
図２を参照すると、本発明の一実施例による照明システム（図２には示されていない）に含まれている発光モジュール１０１の模式的な側面図が示されている。
【００６８】
発光モジュール１０１は、複数の光源１０８を有する。複数の光源１０８の各々は、光源１０８により発されるライトフィールドをコリメートにするために適応化されたコリメート要素１０９を有する。図２に示されている光源１０８の数は、一例によるものであることが理解されるべきである。原則として、発光モジュール１０１内に含まれる光源１０８の数は、如何なる正の整数であっても良い。
【００６９】
複数の光源１０８は、例えば、複数の発光ダイオード（ＬＥＤ）を有しても良く、これらのＬＥＤは、例えば、アレイ状に配されても良い。前記複数のＬＥＤは、例えば、少なくとも１つのＯＬＥＤを有し得る。
【００７０】
図２に示されている実施例によれば、各光源１０８は、これを介して光が光源１０８から発される出力面１１０を有する。幾つかの光源１０８の出力表面１１０のみが、図２の符号１１０により示されている。コリメート要素１０９を出る光のビームが、所定の角度の範囲内にある出力面１１０の法線に対する角度を呈するように、各光源１０８のコリメート要素１０９は、光源１０８により発される光を平行にするように構成される。例えば、前記所定の角度範囲は６°〜４５°であり得る。
【００７１】
発光モジュール１０１は、配線、電気回路構成、ハウジング等のような、図２に示されている構成要素以外の構成要素を有し得ることも理解されるべきである。しかしながら、このような構成要素は、図２には示されていない。
【００７２】
ここで図３を参照すると、発光モジュール１０１及び光学要素１０２を有する、本発明の一実施例による照明システム１００の模式的なブロック図が示されている。
【００７３】
図３における照明システム１００の構成要素１０１及び１０２は、それぞれ、図１の照明システム１００における構成要素１０１及び１０２と同一である又は類似しており、図３における照明システム１００の構成要素１０１及び１０２の機能は、それぞれ、図１の照明システム１００における構成要素１０１及び１０２と同一である又は類似している。
【００７４】
図３を参照すると、照明システム１００は、単一の矢印によって図３において模式的に示されている、発光モジュール１０１により発されるライトフィールドの一部１０３を受け取るように或る場所に（例えば、室内の所望の位置に）光学要素１０２を着脱可能に取り付けるのに適している取付手段１１２を有する。
【００７５】
取付手段１１２は、図３において、単に模式的に示されている。取付手段１１２は、例えば、前記光学要素を室内の天井から懸架する手段、前記光学要素を室内の机の作業空間の上方に取り付ける手段及び／又は前記光学要素を室内の壁に取り付けるための手段を有することができる。
【００７６】
図３を更に参照すると、照明システム１００は、少なくとも部分的に光学要素１０２を囲むように光学要素１０２に着脱自在に配置可能であるエンベロープ１１１を有する。図３には、エンベロープ１１１が光学要素１０２上に配置される状況が示されている。光学要素１０２上に配される場合、エンベロープ１１１は、光が光学要素１０２に到達するのを妨げるように構成されている。
【００７７】
取付手段１１２及びエンベロープ１１１の各々は、任意である。照明システム１００は、取付け手段１１２及びエンベロープ１１１の一方を有するか又は両方を有するかの何れであっても良い。
【００７８】
図３における発光モジュールを表しているブロック１０１及び光学要素を表しているブロック１０２の大きさは、縮尺で描かれているわけではない。光学要素１０２は、発光モジュール１０１よりも大幅に小さくても良い。
【００７９】
図４を参照すると、本発明の一実施例による照明システム１００に含まれている発光モジュール１０１の模式的な側面図が、示されている。
【００８０】
発光モジュール１０１は、複数の光源１０８を有する。
【００８１】
照明システム１００は、発光モジュール１０１により発されるライトフィールドをコリメートするように適応化されているコリメート要素１０９を有する。
【００８２】
得られるライトフィールドは、ライトフィールドを有する光束が、各々、４５°未満又は１０°未満だけ他の光束の角度に対して異なる指向性の角度を有するようなものであり得る。
【００８３】
図４に示される光源１０８の数は一例によるものであることが、理解されるべきである。原則として、発光モジュール１０１に含まれる光源１０８の数は、如何なる正の整数であっても良い。
【００８４】
照明システム１００は、光学要素（図４には示されていない）を有し、例えば、図１又は３を参照して上述されたようなものの１つを有する。
【００８５】
最後に、照明システムが開示される。当該照明システムは、指向性の所定の一様性を有するライトフィールドを発する発光モジュールと、前記発光モジュールにより発されるライトフィールドの一部を受け取るように配されていると共に、受け取られたライトフィールドに基づいて変更されたライトフィールドを出力するように構成されている光学要素とを有する。前記光学要素から出力されるライトフィールドが前記発光モジュールにより発されるライトフィールドに対して指向性の変化された一様性を有するように、前記光学要素は、前記発光モジュールに対して別個に配されていると共に、前記光学要素に入力されるライトフィールドを変更するように構成されている。
照明システムに含まれるのに適している光学要素も、開示される。
【００８６】
本発明は、例示され添付図面及び上述の明細書において詳述されたが、このような図及び記載は、説明のためのもの又は例示的なものと解釈されるべきであり、限定的なものと解釈されるべきではない。即ち、本発明は、開示されている実施例に限定されるものではない。開示されている前記実施例に対する他の変化は、前記添付図面、本明細書及び添付請求項の熟慮により、添付請求項に記載の本発明を実施する際に当業者により理解され、行われることができる。特定の手段が、相互に異なる従属請求項において、引用されているという単なる事実は、これらの手段の組み合わせが有利になるように使用されることができないと示すものではない。添付請求項における如何なる符号も、この範囲を制限するものとしてみなしてはならない。
【図１】
2015515090.tif 000003
【図２】
2015515090.tif 000004
【図３】
2015515090.tif 000005
【図４】
2015515090.tif 000006
【国際調査報告】
2015515090.tif 000007
2015515090.tif 000008
2015515090.tif 000009